(57)【特許請求の範囲】
【請求項１】
トッププレートと、前記トッププレートの下方に本体と、前記本体内に前記トッププレートの下方に設けた複数の加熱コイルと、前記本体内の発熱部位に送風し冷却するファンと、前記本体の前面または前記本体中心より前方側の側面、上面及び底面に設けられた前記ファンの冷却風を取り入れる指が入らない程度の複数の穴で構成される吸気口と、を備え、前記本体の前面の上部に設けられた着脱可能な飾り部品である電源スイッチ周辺に配置された電源スイッチカバーの一部で、前記吸気口に略平行に覆うように配置された前記吸気口よりも小なる面積の小孔を有する着脱可能な防塵フィルターを構成した誘導加熱調理器。
【発明の詳細な説明】
【技術分野】
【０００１】
本発明は、防塵フィルターを有した誘導加熱調理器に関するものである。
【背景技術】
【０００２】
従来、この種の誘導加熱調理器は、本体ケース前方に空気吸い込み口を設け、この空気吸い込み口に塵や埃を除去するためのフィルターを設けている（例えば、特許文献１参照）。
【０００３】
図７は、特許文献１に記載された従来の複合加熱調理器を示すものである。図７に示すように、本体ケース５１内に加熱コイル５２側の発熱部品を冷却するための冷却ファン５３を備え、本体ケース５１内底面前方に冷却ファン５３にて冷却空気を吸い込むための空気吸い込み口５４を設け、この空気吸い込み口５４に塵や埃を除去するためのフィルター５５を設け、このフィルター５５に正面から着脱することができるように取っ手５６を取り付け、さらに取っ手５６とフィルター５５を自在に動かせるよう接続して構成されている。
【先行技術文献】
【特許文献】
【０００４】
【特許文献１】特開平９−１６６３３０号公報
【発明の概要】
【発明が解決しようとする課題】
【０００５】
しかしながら、前記従来の構成では、取っ手５６が前面から見て見難く、防塵フィルターを外している場合に防塵フィルターの着脱状態の確認が困難で防塵フィルターの装着忘れがあるという課題を有していた。
【０００６】
本発明は、前記従来の課題を解決するもので、防塵フィルターを装着した際にも冷却ファンの性能を確保し、着脱が容易かつ防塵フィルターが未装着状態の時に認知しやすく、装着忘れを防止した誘導加熱調理器を提供することを目的とする。
【課題を解決するための手段】
【０００７】
前記従来の課題を解決するために、本発明の加熱調理器は、トッププレートと、前記トッププレートの下方に本体と、前記本体内に前記トッププレートの下方に設けた複数の加熱コイルと、前記本体内の発熱部位に送風し冷却するファンと、前記本体の前面または前記本体中心より前方側の側面、上面及び底面に設けられた前記ファンの冷却風を取り入れる指が入らない程度の複数の穴で構成される吸気口と、を備え、前記本体の前面の上部に設けられた着脱可能な飾り部品である電源スイッチ周辺に配置された電源スイッチカバーの一部で、前記吸気口に略平行に覆うように配置された前記吸気口よりも小なる面積の小孔を有する着脱可能な防塵フィルターを構成したものである。
【０００８】
これによって、吸気口に埃や粉塵が堆積するのを防止し、吸気口が本体前面側から視認し難い位置であっても、着脱可能な防塵フィルターにより清掃可能とすることができ、防塵フィルターの一部が本体前面に位置するために着脱が容易かつ防塵フィルターが未装着状態の時に本体前面側から一目で認知しやすく、装着忘れを防止することとなる。
【発明の効果】
【０００９】
本発明の誘導加熱調理器は、防塵フィルターを装着した際にも冷却ファンの性能を確保し、着脱が容易かつ防塵フィルターが未装着状態の時に本体前面側から一目で認知しやすく、装着忘れを防止することができる。
【図面の簡単な説明】
【００１０】
【図１】本発明の実施の形態１における誘導加熱調理器の全体斜視図
【図２】本発明の実施の形態１における誘導加熱調理器の主要断面図
【図３】本発明の実施の形態１における防塵フィルター未装着時の誘導加熱調理器の全体斜視図
【図４】本発明の参考の形態１における誘導加熱調理器の全体斜視図
【図５】本発明の参考の形態１における誘導加熱調理器の主要断面図
【図６】本発明の参考の形態１における誘導加熱調理器の全体斜視図
【図７】従来の複合加熱調理器の全体斜視図
【発明を実施するための形態】
【００１１】
第１の発明は、トッププレートと、前記トッププレートの下方に本体と、前記本体内に前記トッププレートの下方に設けた複数の加熱コイルと、前記本体内の発熱部位に送風し冷却するファンと、前記本体の前面または前記本体中心より前方側の側面、上面及び底面に設けられた前記ファンの冷却風を取り入れる指が入らない程度の複数の穴で構成される吸気口と、を備え、前記本体の前面の上部に設けられた着脱可能な飾り部品である電源スイッチ周辺に配置された電源スイッチカバーの一部で、前記吸気口に略平行に覆うように配置された前記吸気口よりも小なる面積の小孔を有する着脱可能な防塵フィルターを構成した誘導加熱調理器とすることにより、前記吸気口に埃や粉塵が堆積するのを防止し、前記吸気口が本体前面側から視認し難い位置であっても、着脱可能な前記防塵フィルターにより清掃可能とすることができ、前記防塵フィルターの一部が前記本体前面に位置するために着脱が容易かつ前記防塵フィルターが未装着状態の時に本体前面側から一目で認知しやすく、装着忘れを防止することができる。
【００１６】
以下、本発明の実施の形態について、図面を参照しながら説明する。尚、この実施の形態によって本発明が限定されるものではない。
【００１７】
（実施の形態１）
図１は、本発明の第１の実施の形態における誘導加熱調理器の全体斜視図であり、図２は本発明の第１の実施の形態における誘導加熱調理器の主要断面図である。図３は本発明の第１の実施の形態における防塵フィルター未装着時の誘導加熱調理器の全体斜視図である。
【００１８】
図１〜３において、誘導加熱調理器の上面にガラス製のトッププレート１９を配置し、トッププレート１９の下方に調理器の外郭を構成する本体１２がねじ止めにより締結されている。
【００１９】
本体１２内のトッププレート１９の下方には、複数の加熱コイル１１が載置され、トッププレート１９の上方に置いた被加熱物３１を誘導加熱によって加熱することができる。
【００２０】
加熱コイル１１を制御する制御部２１や加熱コイル１１等の発熱部を冷却するファン１３が本体１２の前方側に配置されている。
【００２１】
本体１２の前方及び下方の外面に設けられたファン１３の冷却風を取り入れる指が入らない程度の複数の穴で構成される吸気口１４が本体１２の穴を空ける形で配置されている。尚、吸気口１４は本体１２の穴でなくても、本体１２の外側に配置された別部品の穴であっても良い。
【００２２】
着脱可能な防塵フィルター１６は、本体１２前面の上部の吸気口１４を略平行に覆うように配置され、吸気口１４よりも小なる面積の複数の小孔１５を有している。
【００２３】
本体１２の前面の上部に設けられた電源スイッチ２３の外周を覆うように、飾り部品である電源スイッチカバー１７があり、図中では防塵フィルター１６と電源スイッチカバー１７を一つの部品で構成されている。
【００２４】
尚、電源スイッチカバー１７の一部を防塵フィルター１６で構成し、スイッチカバー１７は別の部品でも良い。
【００２５】
また、図３のように、本体１２の右端に飾り部品であるサイドカバー１８を配置した場合には、防塵フィルター１６とサイドカバー１８を一つの部品で構成しても良いし、サイドカバー１８の一部を防塵フィルター１６で構成し、サイドカバー１８は別の部品でも良い。
【００２６】
尚、防塵フィルター１６、電源スイッチカバー１７及びサイドカバー１８の材質は樹脂や板金のどちらでも良いが、樹脂の方がシャープエッジがなく、安全である。
【００２７】
尚、電源スイッチカバー１７は飾り部品であり、塗装することによって、品位を向上することができる。
【００２８】
尚、防塵フィルター１６と本体１２との取り付け構成は、爪やねじ止めによって行う。尚、吸気口１４を指が入らない程度の複数の穴で構成することにより、防塵フィルター未装着状態でも、指がファン１３に触れることによる外傷や感電の危険性を低減することが
できる。
【００２９】
尚、吸気口１４と防塵フィルター１６は当節していない場合でも、吸気経路の途中に防塵フィルター１６の小孔１５があれば良い。
【００３０】
尚、ファン１３はラジアルファンや軸流ファンでも良いが、騒音を抑制して風量をより多く出すためには、ターボファンやシロッコファン等の遠心ファンの方が発熱部の冷却に対して有利である。
【００３１】
尚、吸気口１４を本体１２の前面の下方側に配置することにより、被加熱物３１から発生した油煙から遠くなることにより、本体１２内への油煙の侵入を防止することが可能になる。
【００３２】
防塵フィルター１６により、電源スイッチカバー１７及びサイドカバー１８の一部または全部を構成することにより、吸気口１４に埃や粉塵が堆積するのを防止し、吸気口１４が本体１２前面側から視認し難い位置であっても、着脱可能な防塵フィルター１６により清掃可能とすることができる。
【００３３】
防塵フィルター１６の一部が本体１２前面に位置するために、着脱が容易、かつ、防塵フィルター１６が未装着状態の時に、飾り部品である電源スイッチカバー１７及びサイドカバー１８の一部または全部が欠けているために、認知しやすく、装着忘れを防止することができる。
【００３４】
以上のように、構成された誘導加熱調理器について、以下その動作、作用を説明する。
【００３５】
使用者が操作部２０により加熱開始入力を行うと、出力信号が制御部２１に入力され、制御部は加熱コイル１１に電流を供給することによって加熱コイル１１が加熱開始を行い、被加熱物３１を加熱する。制御部２１は同時にファン１３に電流を供給して、ファン１３の駆動を行う。
【００３６】
ファン１３が回転することにより、本体１２の外面に位置する吸気口１４の外側に位置する防塵フィルター１６の小孔１５から吸気され、ファン１３を通過して制御部２１や加熱コイル１１を冷却し、排気口２２から排気される。
【００３７】
また、ファン１３を駆動することにより、防塵フィルター１６の小孔１５に埃や油などが堆積されるが、少なくとも１つの小孔１５が、使用者が認識できる前面にあることにより、埃等の堆積物によって使用者に対して清掃を促すことができる。
【００３８】
尚、防塵フィルター１６を外部に配置したため、吸気口に埃などの粉塵が付着するのを防止することができる。
【００３９】
以上のように、本実施の形態においては、本体内の発熱部位に送風し冷却するファンと，本体の前面または前記本体中心より前方側の側面、上面及び底面に設けられたファンの冷却風を取り入れる指が入らない程度の複数の穴で構成される吸気口とを備え、吸気口に略平行に覆うように配置された吸気口よりも小なる面積の小孔を有する着脱可能な防塵フィルターを本体の前面の着脱可能な飾り部品の一部を構成したことにより、吸気口に埃や粉塵が堆積するのを防止し、吸気口が本体前面側から視認し難い位置であっても、着脱可能な防塵フィルターにより清掃可能とすることができ、防塵フィルターの一部が本体前面に位置するために着脱が容易かつ防塵フィルターが未装着状態の時に認知しやすく、装着忘れを防止することができる。
【００４０】
（参考の形態１）
図４は、本発明の第１の参考の形態における誘導加熱調理器の全体斜視図であり、図５は本発明の第１の参考の形態における誘導加熱調理器の主要断面図である。図６は本発明の第１の参考の形態における誘導加熱調理器の全体斜視図である。
【００４１】
図４〜６において、本体１２の前面部に操作部２０があり、飾り部品として外側に着脱可能なフロントカバー２４が装着されている。
【００４２】
図４、５ではフロントカバー２４の下部に複数の小孔１５があり、防塵フィルター１６とフロントカバー２４が１つの部品で構成されている。
【００４３】
尚、フロントカバー２４の一部を防塵フィルター１６で構成し、フロントカバー２４は別の部品でも良い。
【００４４】
操作部２０は、図６の閉状態からフロントカバー２４を押すことにより開閉可能で、軸を中心として手前に回転する構成となっており、操作部２０が手前に移動して、図４，５に示す開状態になり、操作部２０のスイッチ操作は上面から簡単に行える構成となっている。
【００４５】
本体１２は、組込型の誘導加熱調理器であり、キャビネット３２の天板開口部から落とし込んで挿入することにより設置し、トッププレート１９の下面がキャビネット３２に接触しており、本体１２の底面とキャビネット３２との間には空間があり、本体１２は宙吊り状態となっている。
【００４６】
図５において、防塵フィルター１６は、本体１２の外側から吸気口１４を覆うように配置されている。これにより、ほとんどの埃や粉塵は防塵フィルター１６の外側に付着することになり、着脱の際に埃や粉塵が防塵フィルター１６から離れるのを防止することができ、清掃性を向上することができる。
【００４７】
防塵フィルター１６の固定方法は、ねじによって本体１２に締結するか、または爪などの勘合で本体１２に固定する。
【００４８】
以上のように、構成された誘導加熱調理器について、以下その動作、作用を説明する。
【００４９】
使用者が操作部２０により加熱開始入力を行うと、出力信号が制御部２１に入力され、制御部は加熱コイル１１に電流を供給することによって加熱コイル１１が加熱開始を行い、被加熱物３１を加熱する。制御部２１は同時にファン１３に電流を供給して、ファン１３の駆動を行う。
【００５０】
ファン１３が回転することにより、本体１２の前面に位置する吸気口１４に当接するように配置されフロントカバー２４の防塵フィルター１６の小孔１５から吸気され、ファン１３を通過して制御部２１や加熱コイル１１を冷却し、排気口２２から排気される。
【００５１】
また、ファン１３が駆動することにより、防塵フィルター１６の小孔１５に埃や油などが堆積する。
【００５２】
尚、少なくとも１つの小孔１５が、使用者が認識できるフロントカバー２４の前面にあることにより、埃等の堆積物によって使用者に対して清掃を促すことができる。
【産業上の利用可能性】
【００５３】
以上のように、本発明にかかる誘導加熱調理器は、防塵フィルターを装着した際にも冷却ファンの性能を確保し、着脱が容易かつ防塵フィルターが未装着状態の時に認知しやすく、装着忘れを防止することが可能となるので、加熱調理器全般の用途に有効である。
【符号の説明】
【００５４】
１１  加熱コイル
１２  本体
１３  ファン
１４  吸気口
１５  小孔
１６  防塵フィルター
１７  電源スイッチカバー
１８  サイドカバー
１９  トッププレート
２０  操作部
２２  排気口
２３  電源スイッチ
２４  フロントカバー
３２  キャビネット
【図１】
0005407624.tif 000002
【図２】
0005407624.tif 000003
【図３】
0005407624.tif 000004
【図４】
0005407624.tif 000005
【図５】
0005407624.tif 000006
【図６】
0005407624.tif 000007
【図７】
0005407624.tif 000008